(57)【要約】【課題】ＤＶＤを含む複数の音源から供給される異なる音量レベルのオーディオ信号の種類に応じて音量レベル補償が必要なもののみを自動的に補償増幅すると共に、その補償特性を任意に設定できる、より小型、省電力消費、且つ低ノイズなマルチソースオーディオ装置を提供することを目的とする。【解決手段】第１の音量レベルを有する第１の音声信号（ＳＮＡ１）と、第１の音量レベルより所定レベル差（Ｌｃ）だけ小さな第２の音量レベル（Ｃ）を有する第２の音声信号（Ｓａ１）とを、当該所定レベル（Ｌｃ）を補償して同一の音量レベル（０）で再生するマルチソースオーディオ装置（ＭＳＡ）において、任意に決定される減衰特性（Ｌｎ、Ｌｃ）で、第１の音声信号（ＳＮＡ２）および第２の音声信号（Ｓａ２）をそれぞれ減衰して、同一の音量レベルを有する第３の音声信号（ＳＮＡ３）および第４の音声信号（Ｓａ３）を生成する。【選択図】　　　　図１
2004088627.tif 000002
【特許請求の範囲】
【請求項１】
第１の音量レベルを有する第１の音声信号と、当該第１の音量レベルより所定レベル差だけ小さな第２の音量レベルを有する第２の音声信号とを、当該所定レベル差を補償して同一の音量レベルで再生するマルチソースオーディオ装置であって、
減衰係数、ペデスタルレベル定数、および調整ステップ量で任意に決定される減衰特性で、前記第１の音声信号および第２の音声信号をそれぞれ減衰して、同一の音量レベルを有する第３の音声信号および第４の音声信号を生成する音声信号減衰手段と、
前記第１の音声信号に対しては前記ペデスタルレベルを０に設定し、前記第２の音声信号に対しては前記ペデスタルレベルを前記所定レベル差に設定する減衰特性調整手段とを備えるマルチソースオーディオ装置。
【請求項２】
前記減衰係数をＫｓとし、前記ペデスタルレベル定数をＣとし、前記調整ステップ量をＳｔとし、前記第１の音声信号をＳＮＡ２とし、前記第２の音声信号をＳａ２として、前記第３の音声信号をＳＮＡ３とし、前記第４の音声信号をＳａ３とする時に、
ＳＮＡ３＝ＳＮＡ２＋Ｋｓ・ＳｔおよびＳａ３＝Ｓａ２＋Ｋｓ・Ｓｔ＋Ｃで表される関係があることを特徴とする請求項１に記載のマルチソースオーディオ装置。
【請求項３】
前記減衰係数をＫｓとし、前記ペデスタルレベル定数Ｃは−５ｄＢであることを特徴とする請求項２に記載のマルチソースオーディオ装置。
【請求項４】
前記音声信号減衰手段は、
互いに直列に接続される複数の減衰抵抗と、
前記複数の減衰抵抗のそれぞれを選択的にバイパスする複数のスイッチングトランジスタと、
前記減衰係数、前記ペデスタルレベル定数、および前記調整ステップ量Ｓｔの少なくとも１つに基づいて、前記複数のスイッチングトランジスタの開閉を制御する減衰制御手段とを備える請求項３に記載のマルチソースオーディオ装置。
【請求項５】
前記所定レベル差に基づいて、前記減衰係数、前記ペデスタルレベル定数、および前記調整ステップ量Ｓｔを決定する減衰特性決定手段をさらに備える請求項４に記載のマルチソースオーディオ装置。
【発明の詳細な説明】
【０００１】
【発明の属する技術分野】
本発明は、ＤＶＤを含む複数の音源から入力される音声信号に対して、ユーザの指示に応じて切り替わる音源に適した音量で音声を再生するマルチソースオーディオ装置に関し、さらに詳述するとドルビーデジタル信号の再生時には他の音源に比べて任意なだけ音量を上げて再生できるマルチソースオーディオ装置に関する。
【０００２】
【従来の技術】
近年、ＤＶＤを含む複数種類のオーディオ信号源に記録されているオーディオ信号をユーザが好む音質且つ音量で再生できるマルチソースオーディオ装置が望まれている。オーディオ信号源には、ＤＶＤ、ＣＤ、ＶＣＤ、およびＭＤに代表される光記録メディア（光ディスク）や、ＭＰ３データが記録された磁気記録メディア（なお、ＭＰ３データは光ディスクに記録されていても良い）、さらにＦＭ／ＡＭ放送、外部から入力される光信号および電気信号が含まれる。
【０００３】
しかしながら、記録されているオーディオ信号は、その音源毎に所定の音量レベルで記録されている。それ故に、同一のマルチソースオーディオ装置で、再生される音声の音量は、再生される音源の種類によって異なる。このような例として、音源としてＤＶＤの場合について説明する。
【０００４】
ＤＶＤには、大別して、ドルビーデジタルサウンドと非ドルビーデジタルサウンドの２種類のオーディオデータの少なくとも一方が記録されている。ドルビーデジタルサウンドはＡＣ−３として知られているドルビーデジタル技術によって圧縮記録されているオーディオデータ（以降、「ＡＣ−３オーディオ信号」と称する）であり、非ドルビーデジタルサウンドとはドルビーデジタル技術によって圧縮記録されていないオーディオデータ（以降、「非ＡＣ−３オーディオ信号」と称する）である。
【０００５】
ＡＣ−３オーディオ信号の記録音量レベルは、再生されるソフト或いは再生条件によって差はあるものの、非ＡＣ−３信号の音量レベルに比べて数ｄＢ〜１０ｄＢ程度低いのが現状である。たとえば、映画ソフトの台詞などの場合、その差は、概ね５ｄＢ程低い。そのために、ユーザがマルチソースオーディオ装置においてＤＶＤからＡＣ−３オーディオ信号をユーザの好みの音量で再生するには、非ＡＣ−３オーディオ信号の再生時に比べて、マルチソースオーディオ装置の再生音量を５ｄＢ程大きく調整する必要がある。言い換えれば、非ＡＣ−３オーディオ信号の再生時には、ＡＣ−３オーディオ信号の再生時に比べて、マルチソースオーディオ装置の再生音量を５ｄＢ程小さく調整する必要がある。
【０００６】
マルチソースオーディオ装置で、ユーザがＤＶＤから音声を好みの音量で再生している場合を考えると、再生対象オーディオ信号がＡＣ−３オーディオ信号から非ＡＣ−３オーディオ信号に切り替わる場合には、ユーザの好みより５ｄＢ程大きな音量で音声が再生される。このような場合、ユーザの意に反して、突然５ｄＢも大きな音量で音声が再生されるため、マルチソースオーディオ装置が据え置きタイプのような大出力であれば、ユーザ或いは周囲の人にも驚きと共に不愉快な思いを与える。また、マルチソースオーディオ装置がポータブルタイプのような小出力なものであっても、通常は、ユーザはイアフォンを利用するので、据え置きタイプに比べて、ユーザの驚きは一層不愉快且つ健康上有害ですらある。
【０００７】
また、非ＡＣ−３オーディオ信号からＡＣ−３オーディオ信号に切り替わる場合には、再生音量が急に小さくなるので、ユーザや周囲の人に与える驚きや不愉快感は小さいものの、やはり好ましくない。何れの場合においてもユーザは、その都度、マルチソースオーディオ装置の再生音量を調整し直すという煩雑な作業が必要である。なお、このような問題はＤＶＤにおけるＡＣ−３オーディオ信号と非ＡＣ−３オーディオとの間でのみに固有の問題ではない。つまり、ＡＣ−３オーディオ信号が非ＡＣ−３オーディオ信号に比べて、記録音量レベルが低いと言う関係があるすべてのマルチソースオーディオ装置に成り立つ。このような、非ＡＣ−３オーディオ信号の音源としては、ＣＤや従来のアナログの音声信号源も含まれる。
【０００８】
この意味において、本明細書においては、ＤＶＤから再生される非ＡＣ−３オーディオ信号を非ＡＣ−３デジタルオーディオ信号と称し、ＤＶＤ以外から再生或いは入力される非ＡＣ−３オーディオ信号を改めて非ＡＣ−３オーディオ信号と呼称する。さらに、非ＡＣ−３デジタルオーディオ信号と非ＡＣ−３オーディオ信号をあわせて、非ＡＣ−３音声信号ＳＮＡと称する。なお、接尾辞のＳＮＡは必要に応じて表示したり、さらに非ＡＣ−３音声信号ＳＮＡを区別する必要がある場合にはＳＮＡのさらに数字を附して識別するものとする。
【０００９】
図１０に、ＡＣ−３オーディオ信号および非ＡＣ−３オーディオ信号間で再生音声を切り替える際に、再生音量レベルを自動的に調整する従来のマルチソースオーディオ装置を示す。従来のマルチソースオーディオ装置ＭＳＡｃは、マルチソース再生器１００、音声信号選択器２００、音量補償器３００、音声信号処理器４００、表示器５００、および制御器６００を含む。先ず、これらの構成要素の機能について説明した後に、その構成および動作について詳細に説明する。
【００１０】
マルチソース再生器１００は、複数のオーディオ信号源を有し、同オーディオ信号源から個別にオーディオ信号を取り出して音声信号選択器２００に供給する。音声信号選択器２００は、制御部６００から入力されるセレクタ制御信号ＳＯｓに基づいて、マルチソース再生器１００で現在再生或いは出力されているオーディオ信号を選択的に音量補償器３００に供給する。なお、このマルチソース再生器１００から音声信号選択器２００を経由して、音量補償器３００に入力されるオーディオ信号を再生オーディオ信号ＳＤ１と称する。
【００１１】
音量補償器３００は、制御部６００から供給される音量補償制御信号ＳＣｃに基づいて、音声信号選択器２００を介してマルチソース再生器１００から供給される再生オーディオ信号ＳＤ１の音量レベルを固定的に補償して被補償再生オーディオ信号ＳＤ１ｃを生成する。そして、被補償再生オーディオ信号ＳＤ１ｃのうちで、ＡＣ−３オーディオ信号Ｓａ１に対応する被補償ＡＣ−３オーディオ信号Ｓａ１ｃのみを音声信号処理器４００に供給する。
【００１２】
なお、音量補償器３００は、被補償再生オーディオ信号ＳＤ１ｃのうちで、非ＡＣ−３音声信号ＳＮＡ１（Ｓｒ１、Ｓｍ１、Ｓｃ１、Ｓｎ１、Ｓｖ１、Ｓｐ１、およびＳｘ１）に対応するオーディオ信号は音声信号処理器４００に出力することなく、音声信号選択器２００から入力されたものをそのまま音声信号処理器４００に供給する。このような、音量補償器３００から音声信号処理器４００に供給される被補償再生オーディオ信号ＳＤ１ｃと非ＡＣ−３音声信号ＳＮＡ１（Ｓｒ１、Ｓｍ１、Ｓｃ１、Ｓｎ１、Ｓｖ１、Ｓｐ１、およびＳｘ１）を被補償オーディオ信号ＳＤ１ｍと称する。
【００１３】
音声信号処理器４００は、音量補償器３００から供給される被補償オーディオ信号ＳＤ１ｍ、種々の処理を施して、音声としてユーザに提示する。
【００１４】
表示器５００は、好ましくは、ＬＥＤ等などの発光手段で構成されて、マルチソースオーディオ装置ＭＳＡｃの動作モードなどの情報を光によってユーザに提示する。制御器６００は、マルチソース再生器１００、音声信号選択器２００、音声信号処理器４００、および表示器５００に接続されて、マルチソースオーディオ装置ＭＳＡｃ全体の動作を制御する。
【００１５】
マルチソース再生器１００は、ＦＭ／ＡＭチューナ１１０、ＭＤドライブ１２０、コンビネーションドライブ１３０、拡張入力端子（図１では「ＡＵＸ」と表示）１４０、および光入力端子（図１では「ＯＰＴ−ＩＮ」と表示）１５０を含む。ＦＭ／ＡＭチューナ１１０は、ラジオのＦＭ放送或いはＡＭ放送を受信して、放送音声信号Ｓｒ１を生成して、音声信号選択器２００に出力する。
【００１６】
ＭＤドライブ１２０は、ＭＤ（Ｒ）に録音されている音声信号を再生して、ＭＤ音声信号Ｓｍ１として音声信号選択器２００に出力する。補助入力端子１４０は、外部のオーディオ機器に接続されて、同オーディオ機器から入力される音声信号を補助音声信号Ｓｘ１として音声信号選択器２００に出力する。
【００１７】
光入力端子１５０は、光出力端子を有する外部のオーディオ機器に接続されて、同オーディオ機器から入力される光音声信号が入力される。音声信号選択器２００に出力する。入力された光音声信号は、ＭＤドライブ１２０に入力されて、ＭＤ音声信号Ｓｍ１として音声信号選択器２００に出力される。
【００１８】
コンビネーションドライブ１３０は、少なくとも１つの光ディスクドライブ１３２と、ドライブコントローラ１３４とを含む。光ディスクドライブ１３２は、異なる光ディスクメディアを装着して、同光メディアから音声信号を読み出して音声信号選択器２００の入力端子に出力する。なお、光ディスクドライブ１３２は、装着する光ディスクの種類を検出する手段を備え、検出された光ディスクの種類毎に、異なる光ディスクドライブとして認識される。よって、本明細書においては、説明の便宜上、それぞれを異なるドライブとして説明する。つまり、コンビネーションドライブ１３０は、ＣＤドライブ１３２＿１、ＤＶＤドライブ１３２＿２、ＶＣＤドライブ１３２＿３、およびＭＰ３ドライブ１３２＿４を含む。
【００１９】
ＣＤドライブ１３２＿１は、ＣＤからＰＣＭ音声信号Ｓｃ１を再生して出力する。ＤＶＤドライブ１３２＿２は、ＤＶＤからＡＣ−３オーディオ信号Ｓａ１或いは非ＡＣ−３デジタルオーディオ信号Ｓｎ１を再生して出力する。ＶＣＤドライブ１３２＿３はビデオＣＤから音声信号を再生して、ビデオＣＤ音声信号Ｓｖ１として出力する。ＭＰ３ドライブ１３２＿４は、光ディスクに記録されたＭＰ３ファイルから音声データを再生して、ＭＰ３音声信号Ｓｐ１として出力する。
【００２０】
ドライブコントローラ１３４は、光ディスクドライブ１３２に接続されて、制御信号ＳＣを相互に交換すると共に光ディスクドライブ１３２の動作を制御する。なお、ドライブコントローラ１３４は、制御信号ＳＣに基づいて、光ディスクドライブ１３２に装着されている光ディスクの種類を検出すると共に、ＤＶＤドライブ１３２＿２から出力される再生信号がＡＣ−３オーディオ信号Ｓａ１および非ＡＣ−３デジタルオーディオ信号Ｓｎ１の何れであるかを検出する。同検出結果に基づき、ドライブコントローラ１３４は、コンビネーションドライブ１３０の動作状態を表す情報をコンビネーションドライブ状態信号ＳＭの一部として制御器６００に出力する。なお、コンビネーションドライブ状態信号ＳＭには、再生されている音源を示す情報も含まれる。
【００２１】
音声信号選択器２００は、それぞれがＦＭ／ＡＭチューナ１１０、ＭＤドライブ１２０、コンビネーションドライブ１３０（ＣＤドライブ１３２＿１、ＤＶＤドライブ１３２＿２、ＶＣＤドライブ１３２＿３、ＭＰ３ドライブ１３２＿４）、補助入力端子１４０、および光入力端子１５０に接続された複数の入力ポートと、音量補償器３００に接続された１つの出力ポートと、セレクタ制御信号ＳＯｓに基づいて、入力ポートの１つ選択して出力ポートに接続するセレクタを含む。音声信号選択器２００は、現時点でマルチソース再生器１００で再生されている放送音声信号Ｓｒ１、ＭＤ音声信号Ｓｍ１、ＰＣＭ音声信号Ｓｃ１、ＡＣ−３オーディオ信号Ｓａ１、非ＡＣ−３デジタルオーディオ信号Ｓｎ１、ビデオＣＤ音声信号Ｓｖ１、ＭＰ３音声信号Ｓｐ１、および補助音声信号Ｓｘ１の何れかを出力する。
【００２２】
結果的に、音声信号選択器２００は、マルチソース再生器１００で再生或いはマルチソース再生器１００に入力されるすべての音声信号（Ｓｒ１、Ｓｍ１、Ｓｃ１、Ｓａ１、Ｓｎ１、Ｓｖ１、Ｓｐ１、およびＳｘ１）を出力できる。この意味において、音声信号選択器２００が音量補償器３００に出力する音声信号（Ｓｒ１、Ｓｍ１、Ｓｃ１、Ｓａ１、Ｓｎ１、Ｓｖ１、Ｓｐ１、或いはＳｘ１）を再生オーディオ信号ＳＤ１と総称する。
【００２３】
音量補償器３００は、補償アンプ３１０および被補償信号選択器３２０を含む。被補償信号選択器３２０は、補償アンプ３１０を介して音声信号選択器２００の出力ポートに接続される第１の入力ポートと、音声信号選択器２００の出力ポートに直接接続される第２の入力ポートと、音声信号処理器４００に接続される出力ポートと、制御器６００から入力される音量補償制御信号ＳＣｃに基づいて、入力ポートの１つを選択して出力ポートに接続するセレクタを含む。音声信号選択器２００から出力される再生オーディオ信号ＳＤ１は、補償アンプ３１０に入力されると共に、被補償信号選択器３２０の第２の入力ポートに入力される。
【００２４】
補償アンプ３１０は、音声信号選択器２００から入力される再生オーディオ信号ＳＤ１を所定のゲインＧｃで一律に増幅して被補償信号選択器３２０の２つの入力ポートの一方に出力する。補償アンプ３１０のゲイン値は、上述のＡＣ−３オーディオ信号Ｓａ１と非ＡＣ−３デジタルオーディオ信号Ｓｎ１の音量レベルの差を補償すべく適正に定められる任意の一定値である。なお、本明細書においては、上述の如く、５ｄＢ程度の出力音声の音量に相当する値に設定される。この補償アンプ３１０における所定のゲイン値Ｇｃを、ＡＣ−３オーディオ信号Ｓａ１の音量を補償するための「補償ゲイン値Ｇｃ」と称すと共に、補償された音量レベルを「補償レベルＬｃ」と称す。
【００２５】
つまり、補償アンプ３１０は、放送音声信号Ｓｒ１を増幅して被補償放送音声信号Ｓｒ１ｃを生成し、ＭＤ音声信号Ｓｍ１を増幅して、被補償ＭＤ音声信号Ｓｍ１ｃを生成し、ＰＣＭ音声信号Ｓｃ１を増幅して被補償ＰＣＭ音声信号Ｓｃ１ｃを生成し、ＡＣ−３オーディオ信号Ｓａ１を増幅して被補償ＡＣ−３オーディオ信号Ｓａ１ｃを生成し、非ＡＣ−３デジタルオーディオ信号Ｓｎ１を増幅して被補償非ＡＣ−３デジタルオーディオ信号Ｓｎ１ｃを生成し、ビデオＣＤ音声信号Ｓｖ１を増幅してビデオＣＤ音声信号Ｓｖ１ｃを生成し、ＭＰ３音声信号Ｓｐ１を増幅して被補償ＭＰ３音声信号Ｓｐ１ｃを生成し、補助音声信号Ｓｘ１を増幅して被補償補助音声信号Ｓｘ１ｃを生成して、被補償再生オーディオ信号ＳＤ１ｃとして、被補償信号選択器３２０の第１の入力ポートに出力する。
【００２６】
なお、被補償信号選択器３２０の第２の入力ポートには、音声信号選択器２００を介して音量補償器３００に入力された再生オーディオ信号ＳＤ１が直接入力されていることは上述の通りである。
【００２７】
被補償信号選択器３２０のセレクタは、音量補償制御信号ＳＣｃによって、補償アンプ３１０から出力されている被補償再生オーディオ信号ＳＤ１ｃが、被補償ＡＣ−３オーディオ信号Ｓａ１ｃの場合にのみ第１の入力ポートを選択し、それ以外の場合は第２の入力ポートを選択するように制御される。結果、被補償信号選択器３２０からは、放送音声信号Ｓｒ１、ＭＤ音声信号Ｓｍ１、ＰＣＭ音声信号Ｓｃ１、被補償ＡＣ−３オーディオ信号Ｓａ１ｃ、非ＡＣ−３デジタルオーディオ信号Ｓｎ１、ビデオＣＤ音声信号Ｓｖ１、ＭＰ３音声信号Ｓｐ１、および補助音声信号Ｓｘ１が被補償オーディオ信号ＳＤ１ｍとして出力される。
【００２８】
音声信号処理器４００は、プリアンプ４１０、固定音量調整器４２０、パワーアンプ４３０、およびスピーカ４４０を含む。プリアンプ４１０、固定音量調整器４２０、およびパワーアンプ４３０は、それぞれマルチソースオーディオ装置ＭＳＡｃの物理特性に基づき固定的に定めれた動作特性が与えられている。つまり、プリアンプ４１０、固定音量調整器４２０、およびパワーアンプ４３０は、それぞれに固定的に設定された一定の増幅特性で、音量補償器３００から入力される被補償オーディオ信号ＳＤ１ｍ（被補償ＡＣ−３オーディオ信号Ｓａ１ｃ、放送音声信号Ｓｒ１、ＭＤ音声信号Ｓｍ１、ＰＣＭ音声信号Ｓｃ１、非ＡＣ−３デジタルオーディオ信号Ｓｎ１、ビデオＣＤ音声信号Ｓｖ１、ＭＰ３音声信号Ｓｐ１、および補助音声信号Ｓｘ１）に対して同一の動作特性で増幅して、スピーカ４４０から音声として出力する。
【００２９】
つまり、プリアンプ４１０は同一のゲインＧｐｒで、被補償ＡＣ−３オーディオ信号Ｓａ１ｃを増幅して、一次増幅被補償ＡＣ−３オーディオ信号Ｓａ２ｃを生成し、放送音声信号Ｓｒ１を増幅して一次増幅放送音声信号Ｓｒ２を生成し、ＭＤ音声信号Ｓｍ１を増幅して一次増幅ＭＤ音声信号Ｓｍ２を生成し、ＰＣＭ音声信号Ｓｃ１を増幅して一次増幅ＰＣＭ音声信号Ｓｃ２を生成し、非ＡＣ−３デジタルオーディオ信号Ｓｎ１を増幅して一次増幅非ＡＣ−３デジタルオーディオ信号Ｓｎ２を生成し、ビデオＣＤ音声信号Ｓｖ１を増幅して一次増幅ビデオＣＤ音声信号Ｓｖ２を生成し、ＭＰ３音声信号Ｓｐ１を増幅して一次増幅ＭＰ３音声信号Ｓｐ２を生成して、補助音声信号Ｓｘ１を増幅して一次増幅補助音声信号Ｓｘ２を生成して、一次増幅被補償オーディオ信号ＳＤ２ｃとして固定音量調整器４２０に出力する。
【００３０】
図１１、図１２、および図１３を参照して、固定音量調整器４２０について説明する。図１１に示すように、固定音量調整器４２０は、プリアンプ４１０から入力される一次増幅被補償オーディオ信号ＳＤ２ｃを減衰特性で減衰させて、音声データＳＤ３を生成する減衰器４２２と、減衰器４２２の減衰動作を制御する減衰制御器（図１１では、「ＭＰＵ　Ｉ／Ｆ」と表示）４２４とを含む。
【００３１】
減衰器４２２は、ｎ個（ｎは任意の自然数）の互いに直列に接続される減衰抵抗Ｒ１〜Ｒｎと抵抗Ｒとを含む。なお実施の形態においては、ｎは７であり、減衰抵抗Ｒ１、Ｒ２、Ｒ３、Ｒ４、Ｒ５、Ｒ６、およびＲ７はそれぞれ−１ｄＢ、−２ｄＢ、−４ｄＢ、−８ｄＢ、−１６ｄＢ、−３２ｄＢ、および−６４ｄＢの減衰値が設定されている。そして、これら減衰抵抗Ｒ１〜Ｒ７のそれぞれに並列にスイッチングトランジスタＴｒ１〜Ｔｒ７が設けられている。スイッチングトランジスタＴｒ１〜Ｔｒ７のそれぞれは、減衰制御器４２４によって開閉が固定されたパターンに制御されて、減衰器４２２として所望の減衰特性が得られる。
【００３２】
減衰制御器４２４は、好ましくはマイクロプロセッサＭＰＵで構成される。
減衰制御器４２４は、減衰パラメータテーブルＴｒｐを有している。そして、減衰パラメータテーブルＴｒｐには、固定音量調整器４２０として所望の減衰特性を得るためのスイッチングトランジスタＴｒ１〜Ｔｒ７の開閉パターン情報が格納されている。つまり、減衰制御器４２４は減衰パラメータテーブルＴｒｐに格納されている開閉パターン情報に基づいて、スイッチングトランジスタＴｒ１〜Ｔｒ７を開閉させて、減衰抵抗Ｒ１〜Ｒ７の接続パターンを変化させることによって、減衰器４２２の減衰特性を制御するものである。
【００３３】
図１２に、固定音量調整器４２０の減衰特性を示す。同図において、横軸は固定音量調整器４２０（減衰器４２２）に入力される一次増幅被補償オーディオ信号ＳＤ２ｃの大きさ（ｄＢｖ）を示し、縦軸は固定音量調整器４２０（減衰器４２２）から出力される音声データＳＤの大きさ（ｄＢｖ）を示す。この減衰特性は、次式（１）で表現できる。
ＳＤ３＝Ｓｔ＋ＳＤ２ｃ−５　・・・・　（１）
上式１における、Ｓｔは再生音量の調整ステップ量であり、「−５」は一次増幅被補償オーディオ信号ＳＤ２ｃのペデスタルレベル定数であり単位はｄＢである（図１２参照）。
【００３４】
つまり、プリアンプ４１０から出力された一次被補償オーディオ信号ＳＤ２ｃの一次増幅被補償ＡＣ−３オーディオ信号Ｓａ２ｃ、一次増幅放送音声信号Ｓｒ２、一次増幅ＭＤ音声信号Ｓｍ２、一次増幅ＰＣＭ音声信号Ｓｃ２、一次増幅非ＡＣ−３デジタルオーディオ信号Ｓｎ２、一次増幅ビデオＣＤ音声信号Ｓｖ２、一次増幅ＭＰ３音声信号Ｓｐ２、および一次増幅補助音声信号Ｓｘ２のそれぞれは、図１３に示すような所定のパターンで連結された減衰抵抗Ｒ１〜Ｒ７によって規定される特性で減衰さることによって、調整一次増幅被補償ＡＣ−３オーディオ信号Ｓａ３、調整一次増幅放送音声信号Ｓｒ３、調整一次増幅ＭＤ音声信号Ｓｍ３、調整一次増幅ＰＣＭ音声信号Ｓｃ３、調整一次増幅非ＡＣ−３デジタルオーディオ信号Ｓｎ３、調整一次増幅ビデオＣＤ音声信号Ｓｖ３、調整一次増幅ＭＰ３音声信号Ｓｐ３、および調整一次増幅補助音声信号Ｓｘ３が生成されて、音声データＳＤ３として出力される。
【００３５】
図１３を参照して、図１２に示した減衰特性を得るために、減衰制御器４２４によるスイッチングトランジスタＴｒ１〜Ｔｒ７の開閉制御について説明する。再生音量の調整ステップ量Ｓｔが０の場合は、図１３の左部に示すように、スイッチングトランジスタＴｒ１、およびＴｒ３のみが開に制御される。また、図１３の右部に示すように、調整ステップ量Ｓｔが−５０の場合は、スイッチングトランジスタＴｒ４、およびＴｒ７のみが閉に制御される。このような、スイッチングトランジスタＴｒ１〜Ｔｒ７の開閉パターンを適正に制御することによって、任意の調整ステップ量Ｓｔに対する減衰特性が得られる。
【００３６】
制御器６００は、好ましくは、オペレーションコントローラ６１０、受光器６２０、およびリモコン６３０を含む。ユーザは、リモコン６３０を操作して、マルチソースオーディオ装置ＭＳＡｃに対する指示を与えることができる。つまり、ユーザの操作に応じて、リモコン６３０はリモコン信号ＳＲを照射する。受光器６２０は、リモコン６３０から照射されたリモコン信号ＳＲを受けて、ユーザの操作意志を反映したユーザ指示信号ＳＵをオペレーションコントローラ６１０に出力する。
【００３７】
オペレーションコントローラ６１０は、受光器６２０から入力されるユーザ指示信号ＳＵに基づいて、コンビネーションドライブ１３０の動作を制御信号するためのコンビネーションドライブ制御信号ＳＯｃを生成して、ドライブコントローラ１３４に出力する。ドライブコントローラ１３４は、コンビネーションドライブ制御信号ＳＯｃに基づいて、制御信号ＳＣを生成して、光ディスクドライブ１３２を制御する。
【００３８】
一方、ドライブコントローラ１３４は、光ディスクドライブ１３２に装着されている光ディスクの種別を表すメディア識別情報やコンビネーションドライブ１３０の動作状態情報を含むコンビネーションドライブ状態信号ＳＭを生成してオペレーションコントローラ６１０に出力する。なお、コンビネーションドライブ状態信号ＳＭに、ＤＶＤドライブ１３２＿２で再生されて出力される信号がＡＣ−３オーディオ信号Ｓａ１から非ＡＣ−３デジタルオーディオ信号Ｓｎ１の何れであるかを示す情報も含まれていることは上述の通りである。
【００３９】
オペレーションコントローラ６１０は、コンビネーションドライブ状態信号ＳＭに基づいて、音声信号選択器２００の動作を制御するセレクタ制御信号ＳＯｓと、音量補償器３００の動作を制御する音量補償制御信号ＳＣｃと、音声信号処理器４００の動作を制御する音声処理制御信号ＳＯｐを生成して、それぞれを、音声信号選択器２００、音量補償器３００、および音声信号処理器４００に出力する。つまり、オペレーションコントローラ６１０は、ユーザ指示信号ＳＵに基づいて、ＦＭ／ＡＭチューナ１１０、ＭＤドライブ１２０、コンビネーションドライブ１３０、補助入力端子１４０、および光入力端子１５０の何れが利用されているかを検出する。つまり、音声信号選択器２００に入力されている音声信号が、放送音声信号Ｓｒ１、ＭＤ音声信号Ｓｍ１、ＰＣＭ音声信号Ｓｃ１、ビデオＣＤ音声信号Ｓｖ１、ＭＰ３音声信号Ｓｐ１、および補助音声信号Ｓｘ１の何れであるかを検出する。
【００４０】
つまり、マルチソースオーディオ装置ＭＳＡｃにおいては、音声信号処理器４００による音声信号処理の前に、ＡＣ−３オーディオ信号Ｓａ１を増幅して、非ＡＣ−３デジタルオーディオ信号Ｓｎ１との音量差が補償された被補償ＡＣ−３オーディオ信号Ｓａ１ｃを生成する。この被補償ＡＣ−３オーディオ信号Ｓａ１ｃを非ＡＣ−３デジタルオーディオ信号Ｓｎ１や、ＤＶＤ以外の音源から再生された非ＡＣ−３オーディオデータと同様に音声を再現する。
【００４１】
【発明が解決しようとする課題】
上述のように、マルチソースオーディオ装置ＭＳＡｃにおいては、ＡＣ−３オーディオ信号Ｓａ１の音量レベルを非ＡＣ−３デジタルオーディオ信号Ｓｎ１とのレベル差に相当する補償レベルＬｃだけ信号処理の前に補償している。しかしながら、ユーザの音量に対する好みは、ユーザが異なれば異なる。また、同じユーザであって音量に対する好みは、再生される音声の内容や質によって異なる。音声の内容としては、例えば、音楽や語学教材と用途の別がある。さらに、音声の質には、音楽であればクラッシックやポピュラー、或いはロックなどと言うジャンルの別があり、さらに同一ジャンルにおいても人声や楽器の種類の別がある。
【００４２】
しかしながら、上述の如くマルチソースオーディオ装置ＭＳＡｃにおいては、補償レベルＬｃは固定値のために、そのようなユーザの好みに応えるには、音源が切り替わる毎に、固定音量調整器４２０を操作して好みの音量に設定しなければならい。つまり、このような音量に対する好みは、ユーザ毎にある程度決まっているので、再生音声データがＡＣ−３オーディオ信号Ｓａ１から非ＡＣ−３デジタルオーディオ信号Ｓｎ１へ（又は、その逆に）と切り替わる度にユーザが固定音量調整器４２０を調整し直すと言うのは煩雑であり、やはり好ましくない。つまり、補償レベルＬｃは、ユーザの好みに応じて、それぞれ適正に可変であることが望ましい。
【００４３】
さらに、適正な補償レベルＬｃは上述の如くユーザの好みだけに起因するのではなく、マルチソースオーディオ装置ＭＳＡｃの設計仕様或いは製造品質によっても異なる。つまり、マルチソースオーディオ装置ＭＳＡｃが大出力タイプであるか小出力タイプであるかによっても異なる。さらに、これはユーザの好みにも通じるが、マルチソースオーディオ装置ＭＳＡｃの使用される環境や状態によっても異なる。さらに、マルチソースオーディオ装置ＭＳＡｃの製品化に際しては、他の類似商品との差別化をはかるために、補償レベルＬｃの値を含め調整特性を様々に自由に設定できることが非常に望ましい。
【００４４】
さらに、マルチソースオーディオ装置ＭＳＡｃにおいては、マルチソース再生器１００から出力される再生オーディオ信号ＳＤ１がすべて補償アンプ３１０によって補償レベルＬｃだけ補償増幅されて、被補償再生オーディオ信号ＳＤ１ｃが生成される。しかしながら、補償増幅されるべきなのは、ＡＣ−３オーディオ信号Ｓａ１だけであり、それ以外の放送音声信号Ｓｒ１、　ＭＤ音声信号Ｓｍ１、ＰＣＭ音声信号Ｓｃ１、非ＡＣ−３デジタルオーディオ信号Ｓｎ１、ビデオＣＤ音声信号Ｓｖ１、ＭＰ３音声信号Ｓｐ１、および補助音声信号Ｓｘ１は補償増幅の必要はない。これら必要のない補償増幅動作は、マルチソースオーディオ装置ＭＳＡｃに対する無用なノイズ要因であるばかりでなく、無駄に電力を消費している。
【００４５】
上述のような無駄な電力消費に関しては、そのような無用な補償増幅動作を廃止することが最も有効である。そうすれば、無用なノイズ要因も解消される。さらに、無用な補償増幅動作に関与しているハードウェアを不要にできれば、コスト低減、軽量化、および小型化に関しても改善が期待できる。また、上述の補償レベルＬｃの問題は、ＡＣ−３オーディオ信号と非ＡＣ−３音声信号との間に限定されるものでなく、要は異なる音量レベルで記録された異なる音源間で音声を再生する場合に不可避な問題である。
【００４６】
よって、本発明は、ＤＶＤを含む複数の音源から供給される異なる音量レベルのオーディオ信号の種類に応じて音量レベル補償が必要なもののみを自動的に補償増幅すると共に、その補償特性を任意に設定できる、より小型、省電力消費、且つ低ノイズなマルチソースオーディオ装置を提供することを目的とする。
【００４７】
【課題を解決するための手段および発明の効果】
第１の発明は、第１の音量レベルを有する第１の音声信号と、第１の音量レベルより所定レベル差だけ小さな第２の音量レベルを有する第２の音声信号とを、所定レベル差を補償して同一の音量レベルで再生するマルチソースオーディオ装置であって、
減衰係数、ペデスタルレベル定数、および調整ステップ量で任意に決定される減衰特性で、第１の音声信号および第２の音声信号をそれぞれ減衰して、同一の音量レベルを有する第３の音声信号および第４の音声信号を生成する音声信号減衰器と、
第１の音声信号に対してはペデスタルレベルを０に設定し、第２の音声信号に対してはペデスタルレベルを所定レベル差に設定する減衰特性調整器とを備える。
【００４８】
上述のように、第１の発明においては、記録レベルの異なる音声信号からも同一のレベルで音声を再生できる。、
【００４９】
第２の発明は、第１の発明において、減衰係数をＫｓとし、ペデスタルレベル定数をＣとし、調整ステップ量をＳｔとし、第１の音声信号をＳＮＡ２とし、第２の音声信号をＳａ２として、第３の音声信号をＳＮＡ３とし、第４の音声信号をＳａ３とする時に、
ＳＮＡ３＝ＳＮＡ２＋Ｋｓ・ＳｔおよびＳａ３　＝Ｓａ２＋Ｋｓ・Ｓｔ＋Ｃで表される関係があることを特徴とする。
【００５０】
第３の発明は、第２の発明において、減衰係数をＫｓとし、ペデスタルレベル定数Ｃは−５ｄＢであることを特徴とする。
【００５１】
第４の発明は、第３の発明において、音声信号減衰器は、
互いに直列に接続される複数の減衰抵抗と、
複数の減衰抵抗のそれぞれを選択的にバイパスする複数のスイッチングトランジスタと、
減衰係数、ペデスタルレベル定数、および調整ステップ量Ｓｔの少なくとも１つに基づいて、複数のスイッチングトランジスタの開閉を制御する減衰制御器とを備える。
【００５２】
第５の発明は、第４の発明において、所定レベル差に基づいて、減衰係数、ペデスタルレベル定数、および調整ステップ量Ｓｔを決定する減衰特性決定器をさらに備える。
【００５３】
上述のように、第５の発明においては、所望の減衰特性を任意に得ることができる。
【００５４】
【発明の実施の形態】
本発明の実施の形態について詳述する前に、図９を参照して、本発明におけるマルチソースオーディオ装置の概念について説明する。図９に示すマルチソースオーディオ装置ＭＳＡｒは、上述の従来のマルチソースオーディオ装置ＭＳＡｃにおける無用な補償増幅動作に起因するノイズ要因の除去に対する１つの解法として提案するものである。マルチソースオーディオ装置ＭＳＡｒは、マルチソースオーディオ装置ＭＳＡｃにおける音量補償器３００が音量補償器３００ｒに交換されている。また、音量補償器３００ｒは、音量補償器３００において、補償アンプ３１０の下流側に設けられた被補償信号選択器３２０を取り除くと共に、補償アンプ３１０の上流側に補償化信号選択器３３０が設けられている。
【００５５】
補償化信号選択器３３０は、音声信号選択器２００の出力ポートに接続される入力ポートと、補償アンプ３１０を介してプリアンプ４１０に接続される第１の出力ポートと、プリアンプ４１０に直接接続される第２の出力ポートと、音量補償制御信号ＳＣｃに基づいて、出力ポートの１つを選択して入力ポートに接続するセレクタを含む。
【００５６】
補償化信号選択器３３０は、音量補償制御信号ＳＣｃに基づいて、マルチソース再生器１００から出力される再生オーディオ信号ＳＤ１のうちでＡＣ−３オーディオ信号Ｓａ１のみを補償アンプ３１０に入力させる。マルチソース再生器１００から出力されるＡＣ−３オーディオ信号Ｓａ１以外の非ＡＣ−３音声信号ＳＮＡ信号（放送音声信号Ｓｒ１、ＭＤ音声信号Ｓｍ１、ＰＣＭ音声信号Ｓｃ１、非ＡＣ−３デジタルオーディオ信号Ｓｎ１、ビデオＣＤ音声信号Ｓｖ１、ＭＰ３音声信号Ｓｐ１、および補助音声信号Ｓｘ１）はすべて、直接プリアンプ４１０に入力させる。
【００５７】
このような構成することによって、マルチソースオーディオ装置ＭＳＡｒにおいては、補償アンプ３１０は、本当に補償増幅を必要とするＡＣ−３オーディオ信号Ｓａ１に対してのみ稼働する。よって、マルチソースオーディオ装置ＭＳＡｃにおける補償アンプ３１０が非ＡＣ−３オーディオ信号（Ｓｒ１、Ｓｍ１、Ｓｃ１、Ｓｎ１、Ｓｖ１、Ｓｐ１、Ｓｘ１）に対しても稼働することによって、不要な電力消費を防止すると共に、ノイズ要因となる時間を最小限にとどめることができる。
【００５８】
しかしながら、ＡＣ−３オーディオ信号Ｓａ１に対してのみにせよ、やはり補償アンプ３１０の稼働は、省エネおよび省ノイズ要因の観点から望ましくない。また、ＡＣ−３オーディオ信号Ｓａ１の補償レベルＬｃも固定値であるよりも、任意な値に可変に設定できることが望ましいことは上述の通りである。
【００５９】
マルチソースオーディオ装置ＭＳＡｒにおいて、補償レベルＬｃを可変にするためには、補償アンプ３１０のゲインＧｃを可変にする必要がある。しかしながら、ゲインＧｃを可変にするは補償アンプ３１０の構造が複雑になると共に、サイズも大きくなり、さらに消費電力の増加にもつながるので得策ではない。このような、音量補償器３００或いは音量補償器３００ｒを改善しても、マルチソースオーディオ装置の小型化、省電力消費化、且つ低ノイズ化は期待できない。この観点からは、音量補償器３００或いは音量補償器３００ｒ自体の廃止が望ましい。
【００６０】
しかしながら、音量補償器３００或いは音量補償器３００ｒを廃止するには、少なくともそれらが担っている補償増幅機能を、新たなハードウェアを追加的に設けることなく実現する必要がある。さらに、本発明の目的を達成するには、補償レベルＬｃを可変に調整できることが必要である。
【００６１】
これらの点を鑑みて、本発明においては、音声信号処理器４００において、固定音量調整器４２０の代わりに調整特性を可変制御できる可変音量調整器を用いることによって、ＡＣ−３オーディオ信号Ｓａ１の補償レベルＬｃを可変調整を可能する。そして、結果、音量補償器３００或いは音量補償器３００ｒを廃止して、マルチソースオーディオ装置を小型化、省電力消費化、且つ低ノイズ化すると共に、さらに補償特性も任意に調整できる機能を実現するものである。
【００６２】
以下に、図１、図２、図３、図４、図５、図６、図７、および図８を参照して、本発明の実施の形態にかかるマルチソースオーディオ装置について具体的に説明する。
図１に示す様に、本発明にかかるマルチソースオーディオ装置ＭＳＡは、図９に示したマルチソースオーディオ装置ＭＳＡｒにおいて、音量補償器３００ｒを廃止すると共に、音声信号処理器４００および制御器６００がそれぞれ音声信号処理器４００ｐおよび制御器６００ｐと交換されている。
【００６３】
制御器６００ｐは、制御器６００におけるオペレーションコントローラ６１０がオペレーションコントローラ６１０ｐに交換されている。オペレーションコントローラ６１０ｐは、オペレーションコントローラ６１０の有する機能に加えて、さらにドライブコントローラ１３４から入力されるコンビネーションドライブ状態信号ＳＭに基づいて、音声信号処理器４００ｐ（可変音量調整器４２０ｐ）で処理すべきオーディオ信号がＡＣ−３オーディオ信号Ｓａ１か非ＡＣ−３音声信号ＳＮＡ１（Ｓｒ１、Ｓｍ１、Ｓｃ１、Ｓｎ１、Ｓｖ１、Ｓｘ１）の何れであるか判定して、処理するオーディオ信号に適した減衰特性を指定する調整特性指定情報ＳＰを生成する。この調整特性指定情報ＳＰは、音声信号処理器４００ｐに供給される。
【００６４】
音声信号処理器４００ｐは、音声信号処理器４００における固定音量調整器４２０が可変固定音量調整器４２０ｐに置き換えられている。固定音量調整器４２０の減衰特性が固定的に定められているのに対して、可変音量調整器４２０ｐの動作（調整）特性は、制御器６００ｐから入力される調整特性指定情報ＳＰに基づいて任意に調整される。
【００６５】
音量補償器３００ｒが廃止された結果、音声信号処理器４００ｐのプリアンプ４１０には、音声信号選択器２００から出力される再生オーディオ信号ＳＤ１（Ｓｒ１、Ｓｍ１、Ｓｃ１、Ｓａ１、Ｓｎ１、Ｓｖ１、Ｓｐ１、Ｓｘ１）が入力される。プリアンプ４１０は、再生オーディオ信号ＳＤ１の放送音声信号Ｓｒ１を増幅して、マルチソースオーディオ装置ＭＳＡｃおよびマルチソースオーディオ装置ＭＳＡｒと同様に、一次増幅放送音声信号Ｓｒ２、一次増幅ＭＤ音声信号Ｓｍ２、一次増幅ＰＣＭ音声信号Ｓｃ２、一次増幅非ＡＣ−３デジタルオーディオ信号Ｓｎ２、一次増幅ビデオＣＤ音声信号Ｓｖ２、一次増幅ＭＰ３音声信号Ｓｐ２、および一次増幅補助音声信号Ｓｘ２を生成する。
【００６６】
マルチソースオーディオ装置ＭＳＡにおいては、プリアンプ４１０には被補償ＡＣ−３オーディオ信号Ｓａ１ｃの代わりにＡＣ−３オーディオ信号Ｓａ１が入力されるので、プリアンプ４１０はＡＣ−３オーディオ信号Ｓａ１を増幅して、一次増幅被補償ＡＣ−３オーディオ信号Ｓａ２ｃの代わりに一時増幅オーディオ信号ＳＤ２を生成する。
【００６７】
プリアンプ４１０からは、これらの一次増幅放送音声信号Ｓｒ２、一次増幅ＭＤ音声信号Ｓｍ２、一時増幅オーディオ信号ＳＤ２、一次増幅非ＡＣ−３デジタルオーディオ信号Ｓｎ２、一次増幅ビデオＣＤ音声信号Ｓｖ２、一次増幅ＭＰ３音声信号Ｓｐ２、および一次増幅補助音声信号Ｓｘ２が一次増幅オーディオ信号ＳＤ２として、可変音量調整器４２０ｐに対して出力される。つまり、可変音量調整器４２０ｐには、補償レベルＬｃだけ補償増幅されていないＡＣ−３オーディオ信号Ｓａ１である一時増幅オーディオ信号ＳＤ２が供給される点が、上述のマルチソースオーディオ装置ＭＳＡｃおよびマルチソースオーディオ装置ＭＳＡｒの場合と異なる。
【００６８】
そして、可変音量調整器４２０ｐは、制御器６００ｐから供給される調整特性指定情報ＳＰに基づいて、入力されてくる一次増幅オーディオ信号ＳＤ２の各オーディオ信号の種類毎、つまりＡＣ−３オーディオ信号であるか非ＡＣ−３音声信号ＳＮＡであるかに応じてその調整特性を変化させる。具体的には、可変音量調整器４２０ｐは、入力される非ＡＣ−３音声信号ＳＮＡ２である一次増幅放送音声信号Ｓｒ２、一次増幅ＰＣＭ音声信号Ｓｃ２、一次増幅ＭＤ音声信号Ｓｍ２、一次増幅非ＡＣ−３デジタルオーディオ信号Ｓｎ２、一次増幅ビデオＣＤ音声信号Ｓｖ２、一次増幅ＭＰ３音声信号Ｓｐ２、および一次増幅補助音声信号Ｓｘ２に対しては、音声信号処理器４００と同様に、それぞれの信号のペデスタルレベルを補償することなく、標準の音量調整特性で調整して、調整一次増幅放送音声信号Ｓｒ３、調整一次増幅ＭＤ音声信号Ｓｍ３、調整一次増幅ＰＣＭ音声信号Ｓｃ３、調整一次増幅非ＡＣ−３デジタルオーディオ信号Ｓｎ３、調整一次増幅ビデオＣＤ音声信号Ｓｖ３、および一次増幅補助音声信号Ｓｘ３を生成する。
【００６９】
一方、ＡＣ−３オーディオ信号である一時増幅オーディオ信号ＳＤ２に関しては、そのペデスタルレベルを補償レベルＬｃだけ補正することによって、結果的に上述のマルチソースオーディオ装置ＭＳＡｃおよびマルチソースオーディオ装置ＭＳＡｒと同様に調整一次増幅被補償ＡＣ−３オーディオ信号Ｓａ３が生成される。そして、可変音量調整器４２０ｐで生成されたこれらの信号は音声データＳＤ３として、パワーアンプ４３０に出力される。
【００７０】
つまり、本発明にかかるマルチソースオーディオ装置ＭＳＡにおいては、上述の従来のマルチソースオーディオ装置ＭＳＡｃにおける音量補償器３００、マルチソースオーディオ装置ＭＳＡｃの改良であるマルチソースオーディオ装置ＭＳＡｒにおける音量補償器３００ｒを廃止したにも拘わらず、固定音量調整器４２０を可変音量調整器４２０ｐに置き換えるとともに、オペレーションコントローラ６１０をオペレーションコントローラ６１０ｐに置き換えることによって、マルチソースオーディオ装置ＭＳＡの小型化、省電力化、省ノイズ化を実現しながら同一の音声データＳＤ３を得ることができる。
【００７１】
次に、図２〜図７を参照して、可変音量調整器４２０ｐによる可変減衰特性について説明する。図２に示すように、可変音量調整器４２０ｐは、図１１に示した固定音量調整器４２０において、減衰制御器４２４が減衰制御器４２４ｐに置き換えられている。減衰制御器４２４は、上述の通り、固定音量調整器４２０として所望の減衰特性を得るためのスイッチングトランジスタＴｒ１〜Ｔｒ７の開閉パターン情報が予め格納されている減衰パラメータテーブルＴｒｐを備え、同パターン情報に基づいて、スイッチングトランジスタＴｒ１〜Ｔｒ７を開閉させて、減衰抵抗Ｒ１〜Ｒ７の接続パターンを変化させることによって、自身の減衰特性を固定的に制御する。
【００７２】
一方、減衰制御器４２４ｐは、減衰パラメータテーブルＴｒｐ、つまり、予め固定的に決められた減衰抵抗Ｒ１〜Ｒ７の開閉パターンを備えることなく、制御器６００ｐから入力される調整特性指定情報ＳＰが指示する再生オーディオ信号の種類に適した減衰特性を実現するべく、減衰抵抗Ｒ１〜Ｒ７の開閉パターンを算出して、スイッチングトランジスタＴｒ１〜Ｔｒ７のそれぞれの開閉を制御することで、自身の減衰特性を可変的に制御するものである。
【００７３】
以下に、先ず、図３および図４を参照して、一次増幅オーディオ信号ＳＤ２がＡＣ−３信号である時に適用される減衰特性およびそのような減衰特性を得るための減衰制御器４２４ｐによるスイッチングトランジスタＴｒ１〜Ｔｒ７の開閉制御について説明する。その後、図５および図６を参照して、一次増幅オーディオ信号ＳＤ２が非ＡＣ−３オーディオ信号である時に適用される減衰特性およびそのような減衰特性を得るための減衰制御器４２４ｐによるスイッチングトランジスタＴｒ１〜Ｔｒ７の開閉制御について説明する。
【００７４】
図３に、一次増幅オーディオ信号ＳＤ２がＡＣ−３オーディオ信号（一次増幅ＰＣＭ音声信号Ｓｃ２）である時に適用される減衰特性の一例を示す。直線Ｌａ０は、調整ステップ量Ｓｔが０の時の減衰特性を示し、直線Ｌａ５は調整ステップ量Ｓｔが−５０の時の減衰特性を示す。本発明において、一次増幅オーディオ信号ＳＤ２がＡＣ−３信号（一次増幅被補償ＡＣ−３オーディオ信号Ｓａ２ｃ）である時に適用される減衰特性は、次式（２）で表現できる。
ＳＤ３＝ＳＤ２＋（Ｋｓ・Ｓｔ）＋Ｃ　・・・・　（２）
Ｋｓは調整ステップ量Ｓｔに対する選択される減衰係数であり、Ｃは一次増幅オーディオ信号ＳＤ２のペデスタルレベル定数である。本発明においては、調整ステップ量Ｓｔ、減衰係数Ｋｓ、およびペデスタルレベル定数Ｃは、それぞれに任意に定めることができる。
【００７５】
直線Ｌａ０は、減衰係数Ｋｓは１、調整ステップ量Ｓｔは０、ペデスタルレベル定数Ｃは０ｄＢにそれぞれ設定された時の減衰特性性を示す。そして、直線Ｌａ５は、減衰係数Ｋｓは１、調整ステップ量Ｓｔは−５０、ペデスタルレベル定数Ｃは０ｄＢｖの場合を示す。このような、減衰係数Ｋｓ、調整ステップ量Ｓｔ、およびペデスタルレベル定数Ｃの値を適切且つ任意に設定することによって、様々な直線ＬａＮ（Ｎは自然数）、つまり様々な減衰特性が得られる。
【００７６】
例えば、調整ステップ量Ｓｔのみを０以下且つ−５０以上の任意の値Ｍに設定すれば、直線Ｌａ０と直線Ｌａ５の間に、調整ステップ量Ｓｔ＝Ｍに対応する直線ＬａＭで規定される減衰特性が得られる。そして、Ｍを−５０より小さな値に設定すれば、直線ＬａＭは直線Ｌａ５より下側に位置する。そして、可変音量調整器４２０ｐに入力された一次増幅オーディオ信号ＳＤ２（一次増幅ＡＣ−３オーディオ信号Ｓａ２）は、このようにして得られた様々な減衰特性に従って減衰されて、音声データＳＤ３（調整一次増幅被補償ＡＣ−３オーディオ信号Ｓａ３）として出力される。
【００７７】
図４に、図３に示した、減衰特性を得るために設定されるスイッチングトランジスタＴｒ１〜Ｔｒ７の開閉パターンを示す。図３において、直線Ｌａ０で示される特性は、図４の左部に示すように、スイッチングトランジスタＴｒ１〜Ｔｒ７のすべてが閉に制御される。また、直線Ｌａ５で示される特性は、図４の右部に示すように、スイッチングトランジスタＴｒ２、Ｔｒ５、およびＴｒ６が開に制御される。このような、スイッチングトランジスタＴｒ１〜Ｔｒ７の開閉パターンを適正に制御することによって、一時増幅オーディオ信号ＳＤ２に対して適用される減衰特性が任意の調整ステップ量Ｓｔ毎に得られる。
【００７８】
図５に、一次増幅オーディオ信号ＳＤ２が非ＡＣ−３音声信号ＳＮＡ２である一次増幅放送音声信号Ｓｒ２、一次増幅ＭＤ音声信号Ｓｍ２、一次増幅ＰＣＭ音声信号Ｓｃ２、一次増幅非ＡＣ−３デジタルオーディオ信号Ｓｎ２、一次増幅ビデオＣＤ音声信号Ｓｖ２、一次増幅ＭＰ３音声信号Ｓｐ２、および一次増幅補助音声信号Ｓｘ２の何れかである時に適用される減衰特性の一例を示す。直線Ｌｎ１は、調整ステップ量Ｓｔが０の時の減衰特性を示し、直線Ｌｎ５は調整ステップ量Ｓｔが−５０の時の減衰特性を示す。
【００７９】
本発明において、一次増幅オーディオ信号ＳＤ２が非ＡＣ−３信号（一次増幅放送音声信号Ｓｒ２、一次増幅ＭＤ音声信号Ｓｍ２、一次増幅ＰＣＭ音声信号Ｓｃ２、一次増幅非ＡＣ−３デジタルオーディオ信号Ｓｎ２、一次増幅ビデオＣＤ音声信号Ｓｖ２、一次増幅ＭＰ３音声信号Ｓｐ２、および一次増幅補助音声信号Ｓｘ２の何れか）である時に適用される減衰特性も、上式（２）で表現できる。
【００８０】
つまり、Ｋｓは調整ステップ量Ｓｔに対する選択される減衰係数であり、Ｃは一次増幅オーディオ信号ＳＤ２のペデスタルレベル定数である。本発明においては、調整ステップ量Ｓｔ、減衰係数Ｋｓ、およびペデスタルレベル定数Ｃは、それぞれに任意に定めることができる。しかしながら、ペデスタルレベル定数Ｃは、上述の補償レベルＬｃに相当する−５ｄＢに設定される。
【００８１】
しかしながら、この場合は、非ＡＣ−３音声信号ＳＮＡ２である一次増幅オーディオ信号ＳＤ２は、図１０、図１１、および図１２を参照して説明したように、従来のマルチソースオーディオ装置ＭＳＡｃの固定音量調整器４２０に入力される一次増幅オーディオ信号ＳＤ２を構成する一次増幅放送音声信号Ｓｒ２、一次増幅ＭＤ音声信号Ｓｍ２、一次増幅ＰＣＭ音声信号Ｓｃ２、一次増幅非ＡＣ−３デジタルオーディオ信号Ｓｎ２、一次増幅ビデオＣＤ音声信号Ｓｖ２、一次増幅ＭＰ３音声信号Ｓｐ２、および一次増幅補助音声信号Ｓｘ２の何れかである。よって、可変音量調整器４２０ｐが適用する減衰特性（Ｌｎ）は、図１２に示す固定音量調整器４２０が適用する減衰特性（Ｌｃ）と同じように設定される。
【００８２】
つまり、直線Ｌｎ０は、減衰係数Ｋｓは１、調整ステップ量Ｓｔは０、ペデスタルレベル定数Ｃは−５ｄＢにそれぞれ設定された時の減衰特性性を示す。そして、直線Ｌｎ５は、減衰係数Ｋｓは１、調整ステップ量Ｓｔは−５０、ペデスタルレベル定数Ｃは−５ｄＢの場合を示す。つまり、上式（１）は、本来は任意に設定される上式（２）における減衰係数Ｋｓ、調整ステップ量Ｓｔ、およびペデスタルレベル定数Ｃがそれぞれ１、０又は−５０、および−５ｄＢに固定的に設定された特殊解と見なすことができる。
【００８３】
逆に言えば、本発明においては、特殊解にすぎない上式（１）を一般解である上式（２）に拡張すると共に、そのように拡張された一般解を実行できるような可変音量調整器４２０ｐおよびオペレーションコントローラ６１０ｐを新たに提案するものである。なお、直線Ｌａと同様に、調整ステップ量Ｓｔのみを０以下且つ−５０以上の任意の値Ｍに設定すれば、直線Ｌｃ０と直線Ｌｃ５の間に、調整ステップ量Ｓｔ＝Ｍに対応する直線ＬｃＭで規定される減衰特性が得られる。
【００８４】
図６に、図５に示した、減衰特性を得るために設定されるスイッチングトランジスタＴｒ１〜Ｔｒ７の開閉パターンを示す。調整ステップ量Ｓｔが０の場合（直線Ｌｎ０）は、図６の左部に示すように、スイッチングトランジスタＴｒ１およびＴｒ３のみが開に制御される。また、調整ステップ量Ｓｔが−５０の場合（直線ｌｎ５）は、図６の右部に示すように、スイッチングトランジスタＴｒ１、Ｔｒ２、Ｔｒ３、Ｔｒ５、およびＴｒ６が開に制御される。
【００８５】
このような、スイッチングトランジスタＴｒ１〜Ｔｒ７の開閉パターンを適正に制御することによって、非ＡＣ−３音声信号ＳＮＡ２である一時増幅オーディオ信号ＳＤ２に対して適用される減衰特性が任意の調整ステップ量Ｓｔ毎に得られる。結果、可変音量調整器４２０ｐからは、調整一次増幅放送音声信号Ｓｒ３。調整一次増幅ＭＤ音声信号Ｓｍ３、調整一次増幅ＰＣＭ音声信号Ｓｃ３、調整一次増幅非ＡＣ−３デジタルオーディオ信号Ｓｎ３、調整一次増幅ビデオＣＤ音声信号Ｓｖ３、調整一次増幅ＭＰ３音声信号Ｓｐ３、および調整一次増幅補助音声信号Ｓｘ３の何れかが音声データＳＤ３として出力される。
【００８６】
図７に、さらに、本発明において、一次増幅オーディオ信号ＳＤ２がＡＣ−３オーディオ信号（一次増幅ＡＣ−３オーディオ信号Ｓａ２）である場合に、適用される上述以外の減衰特性の例を示す。同図に示す直線Ｌｐ１、直線Ｌｐ２、直線Ｌｐ３、および直線Ｌｐ４は、すべてペデスタルレベル定数Ｃが０で且つ調整ステップ量Ｓｔが０或いは−２０の何れかで、減衰係数Ｋｓが１、２、３、・・の場合の減衰特性を示す。
【００８７】
具体的には、直線Ｌｐ１は、調整ステップ量Ｓｔが０で減衰係数Ｋｓが自然数の場合を示す。このような、調整ステップ量Ｓｔが０の場合は減衰係数Ｋｓの値が変わっても、その減衰特性は一定である。
【００８８】
直線Ｌｐ２、直線Ｌｐ３、および直線Ｌｐ４においては、調整ステップ量Ｓｔは−２０で一定であるが、減衰係数Ｋｓはそれぞれ１、２、および３に設定される。このような、調整ステップ量Ｓｔの値が０でなければ、減衰特性（Ｌｐ）は減衰係数Ｋｓの値に比例して小さくなる。
【００８９】
次に、図８に示すフローチャートを参照して、マルチソースオーディオ装置ＭＳＡによる、音源に適した音量で音声を再生するための再生音量補正動作について説明する。マルチソースオーディオ装置ＭＳＡに電源が投入されてその動作が開始されると、先ず、
ステップＳ２において、ユーザ指示信号ＳＵに基づいて、オペレーションコントローラ６１０ｐによって、マルチソース再生器１００からのオーディオ信号の読み出しおよび音声再生の指示がされているか否かが判断される。Ｎｏと判断される場合は、同ステップにおける判断を繰り返す。そして、Ｙｅｓと判断されて時点で、制御は次のステップＳ４に進む。
【００９０】
ステップＳ４において、ユーザ指示信号ＳＵに基づいて、オペレーションコントローラ６１０によって、コンビネーションドライブ１３０の再生動作が指定されているか否かが判断される。Ｙｅｓの場合、制御は次のステップＳ６に進む。
【００９１】
ステップＳ６において、ユーザ指示信号ＳＵおよびコンビネーションドライブ状態信号ＳＭに基づいて、オペレーションコントローラ６１０ｐによって、ＤＶＤドライブ１３２＿２が指定されているか否かが判断される。より詳細に言えば、コンビネーションドライブ１３０においては、何かメディアが装着されると、ドライブコントローラ１３４によって、メディアから記録データを再生させて、その再生データに基づいて、メディアの種類を自動的に判定する。さらに、メディアがＤＶＤである場合には、再生信号がＡＣ−３オーディオ信号であるか非ＡＣ−３音声信号であるかも判断される。
【００９２】
なお、ＤＶＤドライブ１３２＿２にＤＶＤが実際に装着されていない場合には、リモコン６３０でＤＶＤドライブ１３２＿２を指示することができないので、ユーザ指示信号ＳＵがＤＶＤの再生を指示している場合は、ＤＶＤドライブ１３２＿２には常にＤＶＤが装着されている。なお、本ステップで、Ｙｅｓと判断される場合、制御は次のステップＳ８に進む。
【００９３】
ステップＳ８において、オペレーションコントローラ６１０ｐはＤＶＤドライブ１３２＿２を示すセレクタ制御信号ＳＯｓを生成して、音声信号選択器２００に出力する。音声信号選択器２００はセレクタ制御信号ＳＯｓに基づいて、セレクタにＤＶＤドライブ１３２＿２に接続されている入力端子を選択させる。そして、制御は次のステップＳ１０に進む。
【００９４】
ステップＳ１０において、ユーザ指示信号ＳＵおよびステップＳ６での再生データに基づいて、ＤＶＤドライブ１３２＿２から読み出される音声信号がＡＣ−３オーディオ信号であるＡＣ−３オーディオ信号Ｓａ１か否かが判断される。Ｙｅｓの場合、制御は次のステップＳ１２に進む。
【００９５】
ステップＳ１２において、オペレーションコントローラ６１０ｐは、ＡＣ−３オーディオ信号用減衰特性Ｌａを規定するパラメータを含む調整特性指定情報ＳＰを生成して可変音量調整器４２０ｐに出力する。可変音量調整器４２０ｐは、この調整特性指定情報ＳＰに基づいて、スイッチングトランジスタＴｒ１〜Ｔｒ７の開閉を制御して、図４を参照して説明した直線ＬａＭに代表されるＡＣ−３用減衰特性に設定する。そして、制御は次のステップＳ１４に進む。
【００９６】
ステップＳ１４において、ＤＶＤドライブ１３２＿２からＡＣ−３オーディオ信号Ｓａ１が読み出される。そして、このＡＣ−３オーディオ信号Ｓａ１は、音声信号選択器２００を介して、再生オーディオ信号ＳＤ１としてプリアンプ４１０に対して出力される。そして、制御は次のステップＳ１６に進む。
【００９７】
ステップＳ１６において、プリアンプ４１０は再生オーディオ信号ＳＤ１として入力されるＡＣ−３オーディオ信号Ｓａ１を一次増幅して、一次増幅ＡＣ−３オーディオ信号Ｓａ２を生成する。この一次増幅ＡＣ−３オーディオ信号Ｓａ２は、一次増幅オーディオ信号ＳＤ２として、可変音量調整器４２０ｐに対して出力される。そして、制御は次のステップＳ１８に進む。
【００９８】
ステップＳ１８において、可変音量調整器４２０ｐは、上述のステップＳ１２で設定されたＡＣ−３用減衰特性（Ｌａ）で、入力される一次増幅オーディオ信号ＳＤ２（一次増幅ＡＣ−３オーディオ信号Ｓａ２）を減衰して、調整一次増幅被補償ＡＣ−３オーディオ信号Ｓａ３を生成する。この調整一次増幅被補償ＡＣ−３オーディオ信号Ｓａ３は、音声データＳＤ３としてパワーアンプ４３０に対して出力される。そして、再生音量補正動作を終了する。
【００９９】
上述のステップＳ１０でＮｏ、つまりＤＶＤから読み出される音声データが非ＡＣ−３音声信号ＳＮＡ１である非ＡＣ−３デジタルオーディオ信号Ｓｎ１である場合には、制御はステップＳ２０に進む。
【０１００】
ステップＳ２０においては、オペレーションコントローラ６１０ｐは、前述のステップＳ１２におけるのと同様に、但し、非ＡＣ−３音声信号用減衰特性Ｌｎを規定するパラメータを含む調整特性指定情報ＳＰを生成して可変音量調整器４２０ｐに出力する。可変音量調整器４２０ｐは、この調整特性指定情報ＳＰに基づいて、スイッチングトランジスタＴｒ１〜Ｔｒ７の開閉を制御して、図５を参照して説明した直線ＬｎＭに代表される非ＡＣ−３音声信号用減衰特性Ｌｎに設定する。そして、制御は次のステップＳ２２に進む。
【０１０１】
ステップＳ２２においては、前述のステップＳ１４におけるのと同様にＤＶＤドライブ１３２＿２から、但し、非ＡＣ−３デジタルオーディオ信号Ｓｎ１が読み出される。そして、この非ＡＣ−３デジタルオーディオ信号Ｓｎ１は、音声信号選択器２００を介して、再生オーディオ信号ＳＤ１としてプリアンプ４１０に対して出力される。そして、制御は次のステップＳ３０に進む。
【０１０２】
また、上述のステップＳ４でＮｏ、つまりマルチソースオーディオ装置ＭＳＡに含まれる音源のうちでコンビネーションドライブ１３０以外の音源装置であるＦＭ／ＡＭチューナ１１０、ＭＤドライブ１２０、補助入力端子１４０、および光入力端子１５０の何れかが選択されている場合には、制御はステップＳ２４に進む。
【０１０３】
さらに、上述のステップＳ６でＮｏ、つまりコンビネーションドライブ１３０のうちで、ＤＶＤドライブ１３２＿２以外の音源装置であるＣＤドライブ１３２＿１、ＶＣＤドライブ１３２＿３、およびＭＰ３ドライブ１３２＿４の何れかが選択されている場合には、制御はステップＳ２４に進む。
【０１０４】
ステップＳ２４において、オペレーションコントローラ６１０ｐは上述のステップＳ８におけるのと同様に、但し、ＦＭ／ＡＭチューナ１１０、ＭＤドライブ１２０、補助入力端子１４０、光入力端子１５０、ＣＤドライブ１３２＿１、ＶＣＤドライブ１３２＿３、およびＭＰ３ドライブ１３２＿４のうちで選択されている音源装置を示すセレクタ制御信号ＳＯｓを生成して、音声信号選択器２００に出力する。音声信号選択器２００はセレクタ制御信号ＳＯｓに基づいて、セレクタに選択された音源装置に接続されている入力端子に接続させる。そして、制御は次のステップＳ２６に進む。
【０１０５】
ステップＳ２６において、オペレーションコントローラ６１０ｐは、前述のステップＳ２０と同様に、非ＡＣ−３音声信号用減衰特性Ｌｎを規定するパラメータを含む調整特性指定情報ＳＰを生成して可変音量調整器４２０ｐに出力する。可変音量調整器４２０ｐは、この調整特性指定情報ＳＰに基づいて、スイッチングトランジスタＴｒ１〜Ｔｒ７の開閉を制御して、図５を参照して説明した直線ＬａＭに代表されるＡＣ−３用減衰特性に設定する。そして、制御は次のステップＳ２８に進む。
【０１０６】
ステップＳ２８において、上述のステップＳ２２と同様に、但し、ＦＭ／ＡＭチューナ１１０、ＭＤドライブ１２０、補助入力端子１４０、光入力端子１５０、ＣＤドライブ１３２＿１、ＶＣＤドライブ１３２＿３、およびＭＰ３ドライブ１３２＿４の何れかから、非ＡＣ−３音声信号ＳＮＡ１から非ＡＣ−３デジタルオーディオ信号Ｓｎ１を除いた放送音声信号Ｓｒ１、ＭＤ音声信号Ｓｍ１、ＰＣＭ音声信号Ｓｃ１、ビデオＣＤ音声信号Ｓｖ１、およびＭＰ３音声信号Ｓｐ１の何れか）が読み出される。そして、この読み出された非ＡＣ−３音声信号（ＳＮＡ１−Ｓｎ１）は、音声信号選択器２００を介して再生オーディオ信号ＳＤ１としてプリアンプ４１０に出力される。そして、制御はステップＳ３０に進む。
【０１０７】
ステップＳ３０において、プリアンプ４１０は、再生オーディオ信号ＳＤ１として入力される非ＡＣ−３音声信号ＳＮＡ１の放送音声信号Ｓｒ１、ＭＤ音声信号Ｓｍ１、ＰＣＭ音声信号Ｓｃ１、非ＡＣ−３デジタルオーディオ信号Ｓｎ１、ビデオＣＤ音声信号Ｓｖ１、ＭＰ３音声信号Ｓｐ１、および補助音声信号Ｓｘ１のそれぞれを一次増幅して、一次増幅非ＡＣ−３デジタルオーディオ信号Ｓｎ２の一次増幅放送音声信号Ｓｒ２、一次増幅ＭＤ音声信号Ｓｍ２、一次増幅ＰＣＭ音声信号Ｓｃ２、一次増幅非ＡＣ−３デジタルオーディオ信号Ｓｎ２、一次増幅ビデオＣＤ音声信号Ｓｖ２、一次増幅ＭＰ３音声信号Ｓｐ２、および一次増幅補助音声信号Ｓｘ２を生成して、一次増幅オーディオ信号ＳＤ２として可変音量調整器４２０ｐに出力する。そして、制御は次のステップＳ３２に進む。
【０１０８】
ステップＳ３２において、可変音量調整器４２０ｐは、前述のステップＳ２０或いはステップＳ２６において設定された非ＡＣ−３音声信号用減衰特性Ｌｎによって、一次増幅オーディオ信号ＳＤ２として入力される一次増幅放送音声信号Ｓｒ２、一次増幅ＭＤ音声信号Ｓｍ２、一次増幅ＰＣＭ音声信号Ｓｃ２、一次増幅非ＡＣ−３デジタルオーディオ信号Ｓｎ２、一次増幅ビデオＣＤ音声信号Ｓｖ２、一次増幅ＭＰ３音声信号Ｓｐ２、および一次増幅補助音声信号Ｓｘ２のそれぞれを減衰して、非ＡＣ−３音声信号ＳＮＡ３である調整一次増幅放送音声信号Ｓｒ３、調整一次増幅ＭＤ音声信号Ｓｍ３、調整一次増幅ＰＣＭ音声信号Ｓｃ３、調整一次増幅非ＡＣ−３デジタルオーディオ信号Ｓｎ３、調整一次増幅ビデオＣＤ音声信号Ｓｖ３、調整一次増幅ＭＰ３音声信号Ｓｐ３、および調整一次増幅補助音声信号Ｓｘ３を生成して、音声データＳＤ３としてパワーアンプ４３０に出力する。そして、再生音量補正動作を終了する。
【図面の簡単な説明】
【図１】本発明の実施の形態にかかるマルチソースオーディオ装置の構成を示すブロック図である。
【図２】図１に示す可変音量調整器の構成を示すブロック図である。
【図３】図２に示す可変音量調整器がＡＣ−３音声信号に適用する減衰特性の説明図である。
【図４】図３に示す減衰特性を実現するための、可変音量調整器の減衰器の動作を説明する図である。
【図５】図２に示す可変音量調整器が非ＡＣ−３音声信号に適用する減衰特性の説明図である。
【図６】図５に示す減衰特性を実現するための、可変音量調整器の減衰器の動作を説明する図である。
【図７】図２に示す可変音量調整器がＡＣ−３音声信号に適用する、図３に示したのとは別の、さらに減衰特性の説明図である。
【図８】図１に示すマルチソースオーディオ装置の音声信号の再生音量補正動作を動作を示すフローチャートである。
【図９】図１に示すマルチソースオーディオ装置とは異なる構成のマルチソースオーディオ装置の構成を示すブロック図である。
【図１０】従来のマルチソースオーディオ装置の構成を示すブロック図である。
【図１１】図１０に示す固定音量調整器の構成を示すブロック図である。
【図１２】図１１に示す固定音量調整器の減衰特性図である。
【図１３】図１２に示す減衰特性を実現するための、固定音量調整器の減衰器の動作を説明する図である。
【符号の説明】
ＭＳＡ、ＭＳＡｒ、ＭＳＡＣ　マルチソースオーディオ装置
１００　マルチソース部
１１０　ＦＭ／ＡＭチューナ
１２０　ＭＤドライブ
１３０　コンビネーションドライブ
１３２＿１　ＣＤドライブ
１３２＿２　ＤＶＤドライブ
１３２＿３　ＶＣＤドライブ
１３２＿４　ＭＰ３ドライブ
１３４　ドライブコントローラ
１４０　補助入力端子
１５０　光入力端子
２００　音声信号選択器
３００、３００ｒ　音量補償器
３１０　補償アンプ
３２０　被補償信号選択器
３３０　補償化信号選択器
４００、４００ｐ　音声信号処理器
４１０　プリアンプ
４２０　固定音量調整器
４２０ｐ　可変音量調整器
４２２　減衰器
４２４、４２４ｐ　減衰制御器
４３０　パワーアンプ
４４０　スピーカ
５００　表示器
６００　制御器
６１０、　６１０ｐ　オペレーションコントローラ
６２０　受光器
６３０　リモコン
Ｒ　抵抗
Ｒ１〜Ｒ７　減衰抵抗
Ｔｒ１〜Ｔｒ７　スイッチングトランジスタ
Ｔｒｐ　減衰パラメータテーブル
【図１】
2004088627.tif 000003
【図２】
2004088627.tif 000004
【図３】
2004088627.tif 000005
【図４】
2004088627.tif 000006
【図５】
2004088627.tif 000007
【図６】
2004088627.tif 000008
【図７】
2004088627.tif 000009
【図８】
2004088627.tif 000010
【図９】
2004088627.tif 000011
【図１０】
2004088627.tif 000012
【図１１】
2004088627.tif 000013
【図１２】
2004088627.tif 000014
【図１３】
2004088627.tif 000015